(57)【要約】【課題】  ２本のガイドレールに沿って光ピックアップが移動し、ターンテーブルに装着されて回転するディスクの記録面にレーザー光を照射して記録再生を行うことが出来るディスク装置であって、光ピックアップが移動するガイドレールの微調整を可能にすると共に、光ピックアップがディスク面に対して常に平行に移動するディスク装置の提供。【解決手段】  ガイドレール１５ａ，１５ｂの一方端は固定支持部１９ａ，１９ｂにて支持し、他端はスキュー調整ネジ２１，２１の先端に当てて支持する樹脂製の可動支持部２０ａ，２０ｂを設けている。樹脂製の可動支持部２０ａ，２０ｂはシャーシ２３に一体成形され、上記スキュー調整ネジ２１はシャーシ２３及び可動支持部２０に設けたネジ穴に螺合し、さらにガイドレール１５にはコイルバネ２２のバネ力をスキュー調整ネジ側へ付勢している。【選択図】    図４
2005135507.tif 000002
【特許請求の範囲】
【請求項１】
２本のガイドレールに沿って光ピックアップが移動し、ターンテーブルに装着されて回転するディスクの記録面にレーザー光を照射して記録再生を行うことが出来るディスク装置において、上記ガイドレールの一方端は固定支持部にて支持され、他端はスキュー調整ネジの先端に当てて支持されるように樹脂製の可動支持部を設け、上記スキュー調整ネジはシャーシ及び可動支持部に設けたネジ穴に螺合し、さらにガイドレールには弾性力をスキュー調整ネジ側へ付勢したことを特徴とするピックアップのスキュー調整機構を備えたディスク装置。
【請求項２】
２本のガイドレールに沿って光ピックアップが移動し、ターンテーブルに装着されて回転するディスクの記録面にレーザー光を照射して記録再生を行うことが出来るディスク装置において、上記片側のガイドレールの一方端は固定支持部にて支持され、他端はスキュー調整ネジの先端に当てて支持されるように樹脂製の可動支持部を設け、上記スキュー調整ネジはシャーシ及び可動支持部に設けたネジ穴に螺合し、さらにガイドレールには弾性力をスキュー調整ネジ側へ付勢し、上記反対側のガイドレールはその両端をスキュー調整ネジの先端に当てて支持することが出来る樹脂製の可動支持部を設け、上記スキュー調整ネジはシャーシ及び可動支持部に設けたネジ穴に螺合し、さらにガイドレールには弾性力をスキュー調整ネジ側へ付勢したことを特徴とするピックアップのスキュー調整機構を備えたディスク装置。
【請求項３】
上記弾性力をスキュー調整ネジに対して傾斜した方向へ付勢した請求項１、又は請求項２記載のピックアップのスキュー調整機構を備えたディスク装置。
【請求項４】
上記樹脂製の可動支持部をシャーシに一体成形した請求項１、請求項２、又は請求項３記載のピックアップのスキュー調整機構を備えたディスク装置。
【発明の詳細な説明】
【技術分野】
【０００１】
本発明はトラバースユニットに装着され光ピックアップが移動するガイドレールを調整する機構を備えたディスク装置に関するものである。
【背景技術】
【０００２】
トラバースユニットにはターンテーブルが備わっており、又光ピックアップを取付けている。そして光ピックアップはガイドレールに沿って移動し、ターンテーブルに装着されたディスクに光を照射して該ディスクに記録されている情報を読み取ることが出来るが、光ピックアップから照射される光をディスク面に正しく当てなくては、その反射光を正確に読み取ることが出来ない。
【０００３】
その為に、光ピックアップがガイドされるガイドレールはディスク面に対して所定の距離を隔てて平行でなくてはならない。そこで、光ピックアップが移動するガイドレールは調整可能と成っていて、製作誤差や取付け誤差に対応することが可能な構造と成っている。このガイドレールの調整機構には色々あるが、特開２００２−２３０７９１号に係る「ディスク装置」もその１つである。
【０００４】
このディスク装置は、ディスクを回転させるターンテーブルと、該ターンテーブルに対して半径線上を移動しディスクの信号面にレーザー光を発するピックアップと、該ピックアップを走行駆動する走行駆動装置とを同一シャーシ上に配備して構成され、ピックアップは主軸と副軸に案内されて走行するディスク装置であり、走行駆動装置のフレームと、主軸の両端を支持するブラケットはシャーシに取付けられ、主軸の一端はブラケットに設けられた内周側のガイド溝で位置規制されると共に、シャーシに取付けられた金属部材により高さ規制される。
【０００５】
同公報の図３にはガイド軸の調整機構が図示されているように、コイルバネにてガイド軸にバネ力を付勢して支えると共に、プレートに螺合した押しビスにて反対側を押圧している。ところが、厚さが薄いプレートに押しビスを螺合する場合、螺合長さが短いために押しビスは傾いてガイド軸を正確に押圧することが出来ず、又押しビスが緩んで調整したガイド軸の位置が変化し易い。
【０００６】
一方、光ピックアップが移動するガイドレールを調整する代わりに、光ピックアップの対物レンズの傾角調整を行うことでディスクの信号面にレーザー光を正しく照射して読み取ることが出来る。実用新案登録第３０９１２７５号に係る「光ディスク装置」はその従来技術の１つである。
【特許文献１】特開２００２−２３０７９１号に係る「ディスク装置」
【特許文献２】実用新案登録第３０９１２７５号に係る「光ディスク装置」
【発明の開示】
【発明が解決しようとする課題】
【０００７】
このように、従来のピックアップのスキュー調整機構には上記のごとき問題がある。本発明が解決しようとする課題はこの問題点であり、螺合するスキュー調整ネジが傾くことなく、正確に微調整を行うことが出来、ひいては光ピックアップがディスクの記録面に対して常に一定間隔を保ちながら移動して、正確な記録再生を行い得るディスク装置を提供する。
【課題を解決するための手段】
【０００８】
本発明に係るディスク装置では、光ピックアップが移動する為のガイドレールを両側に設け、ガイドレールの少なくとも一方端部を支持する樹脂製の支持部は金属シャーシと一体化して成形されている。そして、上記支持部にはスキュー調整ネジが螺合してガイドレールの端部位置を調整し、又ガイドレールはスキュー調整ネジ側へ弾性力を付勢する為の弾性体を設け、該弾性体にてガイドレールには常時弾性力が付勢されている。
【０００９】
従って、ガイドレールの端部はスキュー調整ネジから離れることはない。そして、スキュー調整ネジは両ガイドレールの両端部に設けることが出来るが、少なくとも一方端部の支持部に設けられる。又は両ガイドレールの内、片側のガイドレールは一方端の支持部にのみスキュー調整ネジを設け、反対側のガイドレールは両端の支持部にスキュー調整ネジを設けて調整し、ピックアップはディスク記録面に対して常に平行に移動することが出来る。
【発明の効果】
【００１０】
本発明では、ガイドレールの端部を支持部に設けたスキュー調整ネジと弾性体にて正しい位置で支持することが出来る。すなわち、スキュー調整ネジにてガイドレール端部を正しい位置に調整し、そして該端部がスキュー調整ネジから離れないように弾性力が付勢されている。両ガイドレールの一方端が正しく固定された基準とするならば、他端をスキュー調整ネジにて調整することで、両ガイドレールは平行となる。
【００１１】
ところで、上記支持部は樹脂製であると共に内部には金属シャーシが埋着されている。従って、スキュー調整ネジは金属製シャーシのネジ穴と樹脂製支持部のネジ穴に螺合する為に、スキュー調整ネジが傾くことがないと共に、樹脂製ネジ穴と金属製ネジ穴との組合せで一旦螺合したスキュー調整ネジの緩みを防止できる。緩み止めの接着剤を塗布する必要が無い。そして、樹脂製支持部の下穴にネジを回転挿入することでネジ穴が形成され、同時に金属シャーシの下穴にもネジ穴が加工される為に、ネジの切削工程は不要となる。
【実施例】
【００１２】
図１はディスク装置を示す外観図である。正面中央部にはディスクを載置して出し入れするトレイ１１が突出し、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早送りボタン、１２ｃは早戻しボタン、１２ｄはスキップボタン、１２ｅはトレイオープンボタンとして機能させることが出来る。
【００１３】
そして、プッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１４】
図２はトラバースユニットのシャーシ２３を示す平面図である。該トラバースシャーシ２３には２本のガイドレール１５ａ，１５ｂが平行に取付けられ、光ピックアップ１６は両ガイドレール１５ａ，１５ｂを案内ガイドとして移動することが出来る。本発明では光ピックアップ１６の移動手段は限定しないことにするが、一般的には光ピックアップ１６の移動台１８に備えたラックがギアと噛み合い、該ギアの回転に伴って移動する。
【００１５】
光ピックアップ１６を備えた移動台１８にはガイド１７ａ，１７ｂ，１７ｃが設けられ、これらガイド１７ａ，１７ｂ，１７ｃは両ガイドレール１５ａ，１５ｂに拘束されて移動することが出来る。
【００１６】
ところで、ガイドレール１５ａ，１５ｂの一方端は固定支持部１９ａ，１９ｂにて支持され、他端は可動支持部２０ａ，２０ｂにて支持されている。樹脂製の固定支持部に設けた穴にはガイドレール１５ａ，１５ｂの一方端が嵌って固定されている。そして、可動支持部２０ａ，２０ｂにてガイドレール１５ａ，１５ｂの他端を上下動させることで、ターンテーブルに装着されて回転するディスクと平行となり、該ガイドレール１５ａ，１５ｂに沿って移動する光ピックアップ１６は一定の間隔を保って移動することが出来る。
【００１７】
図３は図２の側面図を示しているが、ガイドレール１５ａは固定支持部１９ａと可動支持部２０ａとで支持され、可動支持部２０ａにはスキュー調整ネジ２１が螺合して、スキュー調整ネジ２１の先端にてガイドレール１５ａを調整可能に支持することが出来る。そして、ガイドレール１５ａが常にスキュー調整ネジ２１の先端に当たるようにコイルバネ２２にてバネ力が付勢されている。ここで、可動支持部２０ａの上端部には上方を開口したガイド溝２４が形成されてガイドレール１５ａが嵌っている。
【００１８】
コイルバネ２２の一端はガイドレール１５ａに連結し、他端はシャーシ２３に連結して該ガイドレール１５ａをスキュー調整ネジ２１側へ引っ張っている。この場合、ガイド溝２４に嵌っているガイドレール１５ａがガイド溝２４の片側面に当接して位置決めする為に、コイルバネ２２は斜めに張設されている。図４は可動支持部２０を示す実施例であり、シャーシ２３から可動支持部２０が起立し、該シャーシ２３に一体成形されている。そして、金属製のシャーシ２３及び可動支持部２０にはネジ穴が設けられ、スキュー調整ネジ２１はこれらネジ穴に螺合している。
【００１９】
ここで、シャーシ２３及び可動支持部２０に下穴だけを設けておいて、スキュー調整ネジ２１を回転しながら押し込むことでネジを切削しながら螺合することも出来る。従来のようなシャーシ２３だけとは異なり、可動支持部２０の厚みが加わることによってスキュー調整ネジ２１は傾くことなく螺合し、ガイドレール１５を支持することが出来る。
【００２０】
本発明ではガイドレールの一方端を支持する可動支持部が樹脂と金属の組合せで構成され、１本のスキュー調整ネジは樹脂製ネジ穴と金属製ネジ穴に螺合する。従って、螺合するネジ長さが大きくなると共に樹脂製ネジ山と密着により、スキュー調整ネジは弛みにくい。
【図面の簡単な説明】
【００２１】
【図１】ディスク装置の外観図。
【図２】トラバースユニットのシャーシに設けたガイドレールに光ピックアップを取付けた場合。
【図３】図２の側面図。
【図４】ガイドレールの可動支持部を示す具体例。
【符号の説明】
【００２２】
11  トレイ
12  プッシュボタン
13  化粧板
14  キャビネット
15  ガイドレール
16  光ピックアップ
17  ガイド
18  移動台
19  固定支持部
20  可動支持部
21  スキュー調整ネジ
22  コイルバネ
23  シャーシ
24  ガイド溝
【図１】
2005135507.tif 000003
【図２】
2005135507.tif 000004
【図３】
2005135507.tif 000005
【図４】
2005135507.tif 000006